(57)【要約】      （修正有）【課題】アプローチウエッジのフェース全体が約１０°に開くように、また約２０°にスタンスを開くように導いてくれ、バンカーショットにおいては、自然にカット打ちになるアプローチウエッジを提供する。【解決手段】アプローチウエッジのフェース全体が約１０°に開くように、それをフェース面上にソールよりトゥ部分にスコアライン最下部のラインより長さが徐々に長くなっていく数本のスコアラインの先端を結ぶと線のように見えるようにしたものを読み取り、飛球方向より約２０°開いてスタンスを構え、またテイクバックもアプローチウエッジが約２０°開いたスコアラインの途切れた部分の集合がラインのように見えるようにして、テイクバックする時、体の回転とともにフェースが少し内側に入るのをイメージしたものを、スコアラインの途切れた部分の集合が曲線に見えるのを読み取り、テイクバックをイメージした方向へと導いてくれるようにした。【選択図】図１
2017196437.tif 000002
【特許請求の範囲】
【請求項１】
アプローチウエッジのフェース面に、ボールを打ち出す方向つまり飛球方向を示すラインとフェースが約１０°に開くように設定したラインは同一で重なり合うラインとして、そのラインはフェース面に直に引くラインではなく、ソールよりトゥ部分にスコアライン最下部のラインより長さが徐々に長くなっていく数本のスコアラインの先端を結んだ集合を見ると線のように見えるようにした集合であり、その集合を読み取り飛球方向を合わせると自然にフェースが約１０°開くようにしたものであり、また飛球方向より約２０°スタンスを開けるように、スコアラインの途切れた部分を作り、途切れた部分を辿った集合を見ると線に見えるようにして、その集合をスタンスラインとして読み取り、スタンスをセットできるようにしたものである。
【請求項２】
テイクバックの方向もスタンスラインの方向と同じ方向になるのであるが、体の回転で打つことを基本にしているので、どこまでもスタンスラインと平行にテイクバックするのを防ぐために、テイクバックする方向もスコアラインの途切れた部分を辿った集合を見ると曲線に見えるようにしたものであり、その集合を読み取りテイクバックすると、体の回転に合わせたテイクバック方向がわかるようにしたものである。
【発明の詳細な説明】
【技術分野】
【０００１】  本発明は、ボールの位置、飛球方向・フェースの開く角度・スタンス位置・テイクバック軌道・スウィング軌道を分かり易くしているアプローチウエッジに関する。
【背景技術】
【０００２】  従来、アプローチウエッジは打つ人の勘に頼ってフェースを開き、その人のプレー中に置かれた場所の状況によってスタンスを開いて、その時フェースを開き過ぎたり、傾斜のある場所では誤った方向へテイクバックしてシャンクに至ったり、ボールを上手く捉えることができず、トップしたりで一般的なゴルファーは毎回安定してアプローチ・バンカーショットを成功させるに至ってなかった。
【先考技術文献】
【特許文献】
【０００３】
【特許文献１】特開２０１６−１０５８０８号  考案者  水戸貞夫  本人  発行日  平成２８年６月１６日
【発明の概要】
【発明が解決しようとする課題】
【０００４】  本発明は、このような問題を解決するためになされたもので、特開２０１６−１０５８０８号、考案者水戸貞夫本人、発行日平成２８年６月１６日の改良版であり、アプローチでピッチ＆ランをする時はフェースを開いて、スタンスも開くと言うのが一般的であり、アプローチウエッジのフェース全体が約１０°にいつも同じく開くように導き、またいつも約２０°にスタンスを開くように導いてくれ、そのスタンスを取り、またテイクバックを持っていく方向が手元より離れないように導いてくれ体の回転で打つようにして打つと、フェースの回転の中でインパクトを迎えることができるアプローチウエッジを提供することを目的とする。【０００５】  またバンカーショットの場合は、フェースを約１０°開き、左足のスタンスを約２０°開き、右足のつま先をスタンスラインに揃え、両足のつま先を結んだ線が約２０°開いたスタンスラインと同じになるようにしてアドレスを取ると、スタンスとスウィング方向が平行なり、縦振りに近いスウィング軌道になりカット打ちなのだが平行打ちのような感覚でエクスプロージョンを迎えることができるウエッジで、アプローチの時と打ち分けるようにしてバンカーショットもできるようにしたものである。
【発明を解決するための手段】
【０００６】  上記目的を達成するため、本発明は、特開２０１６−１０５８０８号、考案者水戸貞夫本人、発行日平成２８年６月１６日の改良版であり、先の考案はフェースに直に線を引くという考案であったが、スコアラインの長さの集合、スコアラインの途切れた部分の集合を読み取るようにしているところを特徴としていて、アプローチウエッジのフェース全体が約１０°にいつも同じに開くように、それをフェース面上にソールよりトゥ部分にスコアライン最下部のラインより長さが徐々に長くなっていく数本のスコアラインの先端を結ぶと線のように見えるようにした集合を作り、その集合を読み取ると、ボールの飛び出す方向つまり飛球方向を示すことになる。
【０００７】  飛球方向よりいつも約２０°開いてスタンスを構え、体の回転で打つように考え、開くスタンスもスコアラインの途切れた部分の集合を読み取ることにより導いてくれるようにしたものである。
【０００８】  またテイクバックもアプローチウエッジが約２０°開いたスコアラインの途切れた部分の集合がラインのように見えるようにして、テイクバックする時どこまでも平行にテイクバックするのを防ぎ、体の回転とともに少し内側に入るのをイメージして、スコアラインの途切れた部分の集合が曲線に見えるのを読み取り、テイクバックをイメージした方向へと導いてくれるようにしたものである。
【発明の効果】
【０００９】  このアプローチウエッジは、スタンス幅と体の回転とその捻りを利用した打ち方であり、ボールの位置、フェース方向、スタンス方向、スタンスの幅、スタンスの幅による捻りの最大位置がテイクバックの大きさになり、それが腕の振りの大きさになり、望んだ距離を出すことができ、狙った方向へと飛び、初心者アマチュアには使い易いアプローチウエッジとなり、テイクバックも迷わずに持っていけるためヘッドアップも抑えられることにより、ダフリ、トップも無くなり正確なスイング軌動へと導かれることで安心感を生み、望んだ距離とボールを飛ばしたい方向へとアプローチできるようにしたものである。
【図面の簡単な説明】
【００１０】
【図１】  本発明のアプローチウエッジのフェース面の正面図である。
【発明を実施するための形態】
【００１１】  本発明の実施形態について図面を参照して説明する。図１に本発明に係るアプローチウエッッジの実施形態を示す。
【００１２】  図１において、アプローチウエッジのフェース面に、ボールを打ち出す方向つまり飛球方向を示すラインとフェースが約１０°に開くように設定したラインは同一であり重なり合うラインであり、そのラインを導いてくれるのは、ソールよりトゥ部分にスコアライン最下部のラインより長さが徐々に長くなっていく数本のスコアラインの先端を結んだ集合を見ると線のように見えるようにしたものを読み取り、飛球方向を示すラインと同一になるようにして飛球方向を示し、また飛球方向を合わせると自然にフェースが約１０°開くようにしたものである。
【００１３】  飛球方向より約２０°スタンスを開き、体の回転で打つのを基本としており、約２０°開いたスタンスラインを想定し、そのスタンスラインを導くのは、スコアラインの途切れた部分を作り、途切れた部分を辿った集合を見ると線に見えるように読み取り、スタンスラインがわかるようにしたものであり、それに合わせてスタンスを取れるようにしたものである。
【００１４】  またテイクバックの方向もスタンスラインの方向と同じ方向になるのであるが、どこまでも平行にテイクバックするのを防ぐ方法として、テイクバックする方向もスコアラインの途切れた部分を辿った集合を見ると線に見えるようにしたものを読み取りテイクバック方向を導いてくれるアプローチウエッジに関するものである。
【００１５】  バンカーショットの場合、フェースを約１０°開き、スタンスも約２０°開いたスタンスラインと両足つま先を結んだ線が平行になるように取ると、肩のラインもスタンスラインと平行になり平行打ちになるようであるが、実はカット打ちになっていて、テイクバック方向はどこまでも平行に持っていくのではなく、縦振りに近い状態ではあるけれどテイクバックする方向もスコアラインの途切れた部分を辿った集合を読み取りテイクバックする。
【符号の説明】
【００１６】  １  アプローチウエッジ
２  ゴルフボール
３  スコアライン最下部
４  スコアラインが少しずつ長くなる数本の中の１本
５  スコアラインの途切れた部分
６  スコアライン最下部の中心線
７  フェースを開かずに構えた位置を０°とする線
８  飛球方向とフェースを１０°開く仮想ライン
９  スタンスを２０°開くためのスコアラインの途切れた部分の集合
１０  フェースを１０°開いた時の線
１１  ボールセット位置
１２  テイクバックの方向の仮想ラインでスコアラインの途切れた部分
１３  スタンスライン
【図１】
2017196437.tif 000003